(57)【要約】【課題】  ＩＰｖ４コンポーネントを備えるそのネットワークをアップグレードする必要なく顧客へのＩＰｖ６接続を提供すること。【解決手段】  インターネットサービスプロバイダ（ＩＳＰ）は、少なくとも一つのＩＰｖ６コネクトエージェントを備える少なくとも一つのＰＯＰを顧客に利用可能とする。ＩＳＰは、ＩＰｖ４コンポーネントを備える顧客のネットワーク内に設置された顧客のＩＰｖ６対応ノードが、ＩＰｖ６コネクトエージェントを自動的に発見することを許可する。ＩＳＰは、ＩＰｖ４コンポーネントを備える顧客のネットワークを通して、顧客のＩＰｖ６対応ノードと、上記発見されたＩＰｖ６コネクトエージェントとの間のＩＰｖ６通信を可能にする。また、ＩＳＰは、上記発見されたＩＰｖ６コネクトエージェントと、ＩＰｖ４コンポーネントを備える顧客のネットワークの外部に設置されたＩＰｖ６エンティティとの間のＩＰｖ６通信を可能とする。【選択図】  図１Ａ
2004254321.tif 000002
【特許請求の範囲】
【請求項１】
顧客がインターネットプロトコルバージョン４のコンポーネントを備えるそのネットワークをアップグレードする必要なくインターネットサービスプロバイダが顧客へのインターネットプロトコルバージョン６の接続を提供する方法であって、
前記インターネットサービスプロバイダが、少なくとも一つのインターネットプロトコルバージョン６のコネクトエージェント（ＩＰｖ６トランジションノード）を備える少なくとも一つのＰＯＰを顧客に利用可能にするステップと、
インターネットプロトコルバージョン４のコンポーネントを備える顧客のネットワーク内に設置された前記顧客のインターネットプロトコルバージョン６対応ノードがインターネットプロトコルバージョン６コネクトエージェント（ＩＰｖ６トランジションノード）を自動的に発見することをインターネットサービスプロバイダが許可するステップと、
インターネットサービスプロバイダが、インターネットプロトコルバージョン４のコンポーネントを備える前記顧客のネットワークを通して、前記顧客のインターネットプロトコルバージョン６対応ノードと、前記発見されたインターネットプロトコルバージョン６コネクトエージェント（ＩＰｖ６トランジションノード）との間のインターネットプロトコルバージョン６の通信を可能するステップと、
インターネットサービスプロバイダが、前記発見されたインターネットプロトコルバージョン６コネクトエージェント（ＩＰｖ６トランジションノード）と、インターネットプロトコルバージョン４のコンポーネントを備える前記顧客のネットワークの外部に設置されたインターネットプロトコルバージョン６のエンティティとの間のインターネットプロトコルバージョン６の通信を可能とし、これにより、前記顧客のインターネットプロトコルバージョン６対応ノードと、インターネットプロトコルバージョン４のコンポーネントを備える前記顧客のネットワークの外部に設置されたインターネットプロトコルバージョン６のエンティティとの間のインターネットプロトコルバージョン６の通信を提供するステップと、
を備えた方法。
【請求項２】
前記発見されたインターネットプロトコルバージョン６コネクトエージェント（ＩＰｖ６トランジションノード）と、インターネットプロトコルバージョン４のコンポーネントを備える前記顧客のネットワークの外部に設置されたインターネットプロトコルバージョン６のエンティティとの間のインターネットプロトコルバージョン６の通信を可能するインターネットサービスプロバイダは、インターネットを通してインターネットプロトコルバージョン６の通信を可能にするインターネットサービスプロバイダを含むことを特徴とする請求項１記載の方法。
【請求項３】
前記インターネットサービスプロバイダが、それぞれが少なくとも一つのインターネットプロトコルバージョン６のコネクトエージェント（ＩＰｖ６トランジションノード）を備える複数のＰＯＰを顧客に利用可能にするステップを更に備えたことを特徴とする請求項１記載の方法。
【請求項４】
前記提供されたＰＯＰが、インターネットサービスプロバイダバックボーンネットワーク内に設置されたことを特徴とする請求項３記載の方法。
【請求項５】
前記顧客のインターネットプロトコルバージョン６対応ノードが、前記インターネットサービスプロバイダによって提供されるインターネットプロトコルバージョン６のコネクトエージェント（ＩＰｖ６トランジションノード）を自動的に発見することを許可する前記インターネットサービスプロバイダは、前記顧客のインターネットプロトコルバージョン６対応ノードが該顧客のインターネットプロトコルバージョン６対応ノードに物理的に最も近いインターネットプロトコルバージョン６のコネクトエージェント（ＩＰｖ６トランジションノード）を自動的に発見することを許可するインターネットサービスプロバイダを含むことを特徴とする請求項３記載の方法。
【請求項６】
前記インターネットサービスプロバイダが、少なくとも一つのインターネットプロトコルバージョン４の通信ノードを備える少なくとも一つのＰＯＰを顧客に利用可能にするステップと、
インターネットプロトコルバージョン４のコンポーネントを備える顧客のネットワーク内に設置された前記顧客のインターネットプロトコルバージョン４のノードが、インターネットプロトコルバージョン４の通信ノードを自動的に発見することを前記インターネットサービスプロバイダが許可するステップと、
前記インターネットサービスプロバイダが、インターネットプロトコルバージョン４のコンポーネントを備える前記顧客のネットワークを通して、前記顧客のインターネットプロトコルバージョン４のノードと、前記発見されたインターネットプロトコルバージョン４の通信ノードとの間のインターネットプロトコルバージョン４の通信を可能にするステップと、
前記インターネットサービスプロバイダが、前記発見されたインターネットプロトコルバージョン４の通信ノードと、インターネットプロトコルバージョン４のコンポーネントを備える前記顧客のネットワークの外部に設置されたインターネットプロトコルバージョン４のエンティティとの間のインターネットプロトコルバージョン４の通信を可能にし、これにより、前記顧客のインターネットプロトコルバージョン４のノードと、インターネットプロトコルバージョン４のコンポーネントを備える前記顧客のネットワークの外部に設置された前記インターネットプロトコルバージョン４のエンティティとの間のインターネットプロトコルバージョン４の通信を提供するステップと、
を更に備えたことを特徴とする請求項１記載の方法。
【請求項７】
前記顧客のインターネットプロトコルバージョン６対応ノードは、インターネットプロトコルバージョン６対応モバイルノードを含み、
前記インターネットサービスプロバイダによって可能とされる前記インターネットプロトコルバージョン６の通信は、モバイルインターネットプロトコルバージョン６の通信を含むことを特徴とする請求項１記載の方法。
【請求項８】
前記発見されたインターネットプロトコルバージョン６コネクトエージェント（ＩＰｖ６トランジションノード）は、仮想ホームエージェントとして作動するステップと、恒久的ホームエージェントの使用を必要とすることなく、前記顧客のインターネットプロトコルバージョン６対応モバイルノードと、インターネットプロトコルバージョン４のコンポーネントを備える前記顧客のネットワークの外部に設置された前記インターネットプロトコルバージョン６のエンティティとの間のインターネットプロトコルバージョン６の通信を提供するステップとを更に備えたことを特徴とする請求項７記載の方法。
【請求項９】
前記発見されたインターネットプロトコルバージョン６コネクトエージェント（ＩＰｖ６トランジションノード）が、前記顧客のインターネットプロトコルバージョン６対応モバイルノードを認証するステップを更に備えたことを特徴とする請求項８記載の方法。
【請求項１０】
前記インターネットサービスプロバイダが、仮想ホームエージェントとして作動することができるインターネットプロトコルバージョン６コネクトエージェント（ＩＰｖ６トランジションノード）であってそれぞれが少なくとも一つのインターネットプロトコルバージョン６コネクトエージェント（ＩＰｖ６トランジションノード）を備える複数のＰＯＰを顧客に利用可能とするステップを更に備えたことを特徴とする請求項７記載の方法。
【請求項１１】
前記顧客のインターネットプロトコルバージョン６対応モバイルが、前記インターネットサービスプロバイダによって提供されるインターネットプロトコルバージョン６コネクトエージェント（ＩＰｖ６トランジションノード）を自動的に発見することを許可する前記インターネットサービスプロバイダは、前記顧客のインターネットプロトコルバージョン６対応モバイルノードが該顧客のインターネットプロトコルバージョン６対応モバイルノードに物理的に最も近い仮想ホームエージェントとして作動するインターネットプロトコルバージョン６コネクトエージェント（ＩＰｖ６トランジションノード）を自動的に発見することを許可するインターネットサービスプロバイダを含むことを特徴とする請求項１０記載の方法。
【請求項１２】
前記インターネットサービスプロバイダが、１）インターネットプロトコルバージョン４およびインターネットプロトコルバージョン６の混成ネットワークと、２）インターネットプロトコルバージョン６のネットワークとを含むネットワークのグループからのネットワークを通して、顧客のインターネットプロトコルバージョン６対応モバイルノードと、インターネットプロトコルバージョン６のエンティティとの間の本来のモバイルインターネットプロトコルバージョン６の通信を可能にするステップを更に備えたことを特徴とする請求項７記載の方法。
【請求項１３】
前記インターネットサービスプロバイダが、インターネットプロトコルバージョン４のコンポーネントを備える前記顧客のネットワークを通して伝送されたインターネットプロトコルバージョン６のパケットのトラックを保持するステップと、
前記インターネットサービスプロバイダが、インターネットプロトコルバージョン４のコンポーネントを備える前記顧客のネットワークを通して伝送されたインターネットプロトコルバージョン６のパケットについて特別料金を前記顧客に課金するステップと
を更に備えたことを特徴とする請求項１または７の何れか１項記載の方法。
【請求項１４】
前記インターネットサービスプロバイダが、少なくとも一つのインターネットプロトコルバージョン６のアドレスを、少なくとも一つの顧客のインターネットプロトコルバージョン６対応ノードに割り当てるステップと、
前記インターネットサービスプロバイダが、それぞれ割り当てられたインターネットプロトコルバージョン６のアドレスについて特別料金を前記顧客に課金するステップと
を更に備えたことを特徴とする請求項１または７の何れか１項記載の方法。
【請求項１５】
前記インターネットサービスプロバイダが、インターネットプロトコルバージョン４とインターネットプロトコルバージョン６との混成ネットワークを通して伝送されたインターネットプロトコルバージョン６のパケットのトラックを保持するステップと、
前記インターネットサービスプロバイダが、前記インターネットプロトコルバージョン４とインターネットプロトコルバージョン６との混成ネットワークを通して伝送されたインターネットプロトコルバージョン６のパケットについて個別の料金を前記顧客に課金するステップと
を更に備えたことを特徴とする請求項１２記載の方法。
【請求項１６】
前記インターネットサービスプロバイダが、インターネットプロトコルバージョン６のネットワークを通して伝送されたインターネットプロトコルバージョン６のパケットのトラックを保持するステップと、
前記インターネットサービスプロバイダが、前記インターネットプロトコルバージョン６のネットワークを通して伝送されたインターネットプロトコルバージョン６のパケットについて個別の料金を前記顧客に課金するステップと
を更に備えたことを特徴とする請求項１２記載の方法。
【請求項１７】
顧客がインターネットプロトコルバージョン４のコンポーネントを備えるそのネットワークをアップグレードする必要なくインターネットサービスプロバイダが前記顧客へのインターネットプロトコルバージョン６の接続を提供するシステムであって、
複数のＰＯＰを備えたインターネットサービスプロバイダと、
ＰＯＰ内に設置され、少なくとも一つのインターネットプロトコルバージョン６コネクトエージェント（ＩＰｖ６トランジションノード）とを備え、
前記インターネットプロトコルバージョン６コネクトエージェントは、インターネットプロトコルバージョン４のコンポーネントを備える顧客のネットワークに設置された前記顧客のインターネットプロトコルバージョン６対応ノードと通信可能に接続され、且つ、インターネットプロトコルバージョン４のコンポーネントを備える前記顧客のネットワークの外部に設置されたインターネットプロトコルバージョン６のエンティティと接続されたシステム。
【請求項１８】
ＰＯＰ内に設置された少なくとも一つのインターネットプロトコルバージョン４の通信ノードを更に備え、前記インターネットプロトコルバージョン４の通信ノードは、インターネットプロトコルバージョン４のコンポーネントを備える顧客のネットワークと通信可能に接続され、且つ、インターネットプロトコルバージョン４のコンポーネントを備える前記顧客のネットワークの外部に設置されたインターネットプロトコルバージョン４のエンティティと接続されたことを特徴とする請求項１７記載のシステム。
【請求項１９】
前記インターネットサービスプロバイダのネットワーク内に設置された本来のインターネットプロトコルバージョン６の通信モジュールを更に備え、該インターネットプロトコルバージョン６の通信モジュールは、インターネットプロトコルバージョン６のエンティティに通信可能に接続され、且つ、１）インターネットプロトコルバージョン４とインターネットプロトコルバージョン６との混成ネットワークと、２）インターネットプロトコルバージョン６のネットワークとからなるネットワークのグループからのネットワークに接続されたことを特徴とする請求項１７記載のシステム。
【請求項２０】
顧客が旧世代の通信プロトコルコンポーネントを備えるそのネットワークをアップグレードする必要なく、前記インターネットサービスプロバイダが、新世代の通信プロトコルに従って顧客への接続を提供する方法であって、
前記インターネットサービスプロバイダが、少なくとも一つの新世代の通信プロトコルコネクトエージェント（新世代の通信プロトコルトランジションノード）を備える少なくとも一つのＰＯＰを顧客に利用可能にするステップと、
前記インターネットサービスプロバイダが、旧世代の通信プロトコルコンポーネントを備える顧客のネットワーク内に設置された前記顧客の新世代の通信プロトコル対応ノードが、新世代の通信プロトコルコネクトエージェント（新世代の通信プロトコルトランジションノード）を自動的に発見することを許可するステップと、
前記インターネットサービスプロバイダが、旧世代の通信プロトコルコンポーネントを備える顧客のネットワークを通して、前記顧客の新世代の通信プロトコル対応ノードと、前記発見された新世代の通信プロトコルコネクトエージェント（新世代の通信プロトコルトランジションノート）との間の新世代の通信プロトコルの通信を可能にするステップと、
前記インターネットサービスプロバイダが、前記発見された新世代の通信プロトコルコネクトエージェント（新世代の通信プロトコルトランジションノード）と、旧世代の通信プロトコルコンポーネントを備える前記顧客のネットワークの外部に設置された新世代の通信プロトコルエンティティとの間の新世代の通信プロトコルの通信を可能し、これにより、前記顧客の新世代の通信プロトコル対応ノードと、旧世代の通信プロトコルコンポーネントを備える前記顧客のネットワークの外部に設置された新世代の通信プロトコルエンティティとの間の新世代の通信プロトコルの通信を提供するステップと、
を備えた方法。
【請求項２１】
前記インターネットサービスプロバイダが、旧世代の通信プロトコルコンポーネントを備える前記顧客のネットワークを通して伝送された新世代の通信プロトコルパケットのトラックを保持するステップと、
前記インターネットサービスプロバイダが、旧世代の通信プロトコルコンポーネントを備える前記顧客のネットワークを通して伝送された新世代の通信プロトコルのパケットについて特別料金を前記顧客に課金するステップと
を更に備えたことを特徴とする請求項２０記載の方法。
【発明の詳細な説明】
【技術分野】
【０００１】
本発明は、概して、インターネットプロトコル通信に関し、特にインターネットプロトコルバージョン４のコンポーネントを含む顧客ネットワーク上でのインターネットプロバイダが可能にするインターネットプロトコルバージョン６通信に関する。
【背景技術】
【０００２】
インターネットプロトコルバージョン６（“ＩＰｖ６”）は、最新のインターネットプロトコルであり、広く使用されているインターネットプロトコルバージョン４（“ＩＰｖ４”）を置き換えるために設計された。インターネットのほとんどは依然としてＩＰｖ４を使用しているが、ＩＰｖ４アドレスが不足してきている。このことは深刻な問題である。なぜならば、インターネットプロトコルアドレスは、インターネットに接続される各コンピュータに必要とされるからである。ＩＰｖ６は、利用可能なＩＰｖ４アドレスの限られた数を含めて、ＩＰｖ４の欠点を修復する。ＩＰｖ６は、移行期間中の何年もの間は二つが並存した状態で、徐々にＩＰｖ４を置き換えると予想される。従って、ＩＰｖ４からＩＰｖ６への移行は、目下、個人から企業まで、インターネットのユーザの間では重要な関心事である。
【０００３】
多くの利用者は、ＩＰｖ６対応の（例えば、オペレーティングシステムで提供される接続サービスを用いることで対応した）コンピュータを既に所有している。しかしながら、これらのＩＰｖ６対応のコンピュータは、一般には、ＩＰｖ６にアップデートされていないＩＰｖ４ネットワーク、またはＩＰｖ４の非アップデートコンポーネントを依然として含むＩＰｖ４／ＩＰｖ６混成ネットワークに設置されている。先のＩＰｖ６への移行シナリオは、ＩＰｖ６ノードが設置されたＩＰｖ４ネットワークを変更することを要する。このことは、ネットワーク管理者がＩＰｖ６を身に付け、そしてネットワークの潜在的に高額かつ複雑なＩＰｖ６アップグレードを実施することを要求する。多くのローカルネットワーク管理者は、ＩＰｖ６を配備する準備がまだできていない。従って、これらネットワーク内の個々のＩＰｖ６対応ノード（固定または移動の何れか）は、それらローカルＩＰｖ４ネットワークの外部のＩＰｖ６エンティティ(entity)とのＩＰｖ６通信に参加することができない。
【０００４】
多くのインターネットユーザは、インターネットサービスプロバイダを通してインターネットにアクセスする。多くのインターネットサービスプロバイダは、彼らの顧客にまったくＩＰｖ６接続を提供しておらず、それは、時には、インターネットサービスプロバイダがその顧客のために十分なＩＰｖ４アドレスを有しておらず、且つアップグレードしないことを決定しているという理由による。顧客にＩＰｖ６接続を提供しないそれらのインターネットサービスプロバイダは、彼らの顧客がＩＰｖ６にアップグレードされたローカルネットワークを備えることを要求する。従って、ＩＰｖ４ネットワーク内に別個のＩＰｖ６対応ノードを備えるインターネットサービスプロバイダの顧客は、インターネットサービスプロバイダがＩＰｖ６ネットワークを用いて顧客へのＩＰｖ６接続を行うプロバイダであっても、ＩＰｖ６インターネット通信に参加することができない。
【発明の開示】
【発明が解決しようとする課題】
【０００５】
求められていることは、インターネットサービスプロバイダが、ローカルＩＰｖ４またはＩＰｖ４／ＩＰｖ６混成ネットワークのアップグレードを要することなく、ＩＰｖ４ネットワークまたはＩＰｖ４／ＩＰｖ６混成ネットワーク内のＩＰｖ６対応ノードへのＩＰｖ６接続を提供するための方法およびシステムである。
【課題を解決するための手段】
【０００６】
インターネットサービスプロバイダは、顧客がそのネットワークをアップグレードすることなく、その顧客へのＩＰｖ６接続を提供する。いくつかの実施形態において、顧客のネットワークは、ＩＰｖ４ネットワークであり、そして他の実施形態において、顧客のネットワークは混成ネットワークであり、その混成ネットワークにおいてはいくつかのコンポーネントは依然としてＩＰｖ４のままであるが、他のコンポーネントはＩＰｖ６にアップグレードされている。いくつかの実施形態において、インターネットサービスプロバイダは、少なくとも一つのＩＰｖ６コネクトエージェント（ＩＰｖ６トランジションノード）を備える少なくとも一つのＰＯＰ(Point Of Presence)を顧客に利用可能とする。インターネットサービスプロバイダは、顧客のＩＰｖ４または混成ネットワーク内に設置された顧客のＩＰｖ６対応ノードが自動的にＩＰｖ６コネクトエージェントを発見することを許可する。インターネットサービスプロバイダは、顧客のネットワークを通して、顧客のＩＰｖ６対応ノードと上記発見されたＩＰｖ６コネクトエージェントとの間のＩＰｖ６通信を可能にする。インターネットサービスプロバイダはまた、顧客のＩＰｖ４または混成ネットワークの外部に設置されたＩＰｖ６エンティティと上記発見されたＩＰｖ６コネクトエージェントとの間のＩＰｖ６通信を可能にし、これにより、顧客のネットワークの外部に設置されたＩＰｖ６エンティティと顧客のＩＰｖ６対応ノードとの間のＩＰｖ６通信を提供する。いくつかの実施形態では、顧客のＩＰｖ６対応ノードは固定局(stationary)であり、他の実施形態ではそれは移動局(mobile)である。いくつかの実施形態において、インターネットサービスプロバイダは、ＩＰｖ４または混成ネットワーク上でのＩＰｖ６通信を可能にすることについて特別料金を顧客に負担させる。
【０００７】
この要約において述べられた特徴および利点、並びに以下の詳細な説明は、包括的なものではなく、特に、多くの追加的な特徴および利点は、本願の図面、明細書、および請求項の観点から見て当業者には明らかである。さらに、本明細書で使用される言語は、主として、読みやすさ及び説明を目的として選択されたものであって、本発明の主題を線引き又は制限し、このような本発明の主題を決定するために必要な請求項に訴えるために選択されたものではないことに留意すべきである。
【０００８】
図面は、例示のみの目的で本発明の実施形態を表す。本技術分野における当業者であれば、ここに示された構成および方法の代替の実施形態が、本明細書で述べられる本発明の原理から始めることなく採用されるであろうことを、以下の検討から容易に認識するであろう。
【発明を実施するための最良の形態】
【０００９】
図１Ａは、顧客がそのＩＰｖ４ネットワーク１０３をアップグレードする必要なく顧客へのＩＰｖ６接続を提供する本発明の一実施形態によるインターネットサービスプロバイダ(internet service provider)１０１の上位レベルの概要を示す。他の実施形態において、インターネットサービスプロバイダ１０１は、図１Ｂと関連して以下に詳細に説明するように、顧客がその混成ＩＰｖ４／ＩＰｖ６混成ネットワーク(mixed Ipv4/Ipv6 network)をアップグレードする必要なく顧客へのＩＰｖ６接続を提供する。図１Ａに示されるように、顧客のＩＰｖ４ネットワーク１０３は、少なくとも一つのＩＰｖ６対応ノード(Ipv6 enabled node)１０７を備える。顧客のＩＰｖ４ネットワーク１０３はまたＩＰｖ４ノード１０９を備える。インターネットサービスプロバイダインターネットサービスプロバイダ１０１は、少なくとも一つのＩＰｖ６コネクトエージェント（ＩＰｖ６トランジションノード）を備える少なくとも一つのＰＯＰ１０５を顧客に利用可能にする。“ＩＰｖ６コネクトエージェント”１１５は、本明細書では単にＩＰｖ４ネットワーク１０３に存在するＩＰｖ６対応ノード１０７が、ＩＰｖ４ネットワーク１０３を通してＩＰｖ６通信(Ipv6 communication)１１１に参加することを可能にするために必要とされるファンクショナリティ(functionality)を備えたノードを意味する。いくつかの実施形態において、ＩＰｖ６コネクトエージェント１１５は、インターネットサービスプロバイダ１０１のバックボーン内に存在するサーバとして実施され、そのバックボーンは、顧客のＩＰｖ４または混成ネットワークに変更を要求することなくＩＰｖ６接続を可能にする特別なプロトコルを包含する。
【００１０】
インターネットサービスプロバイダ１０１は、顧客のＩＰｖ６対応ノード１０７が、インターネットサービスプロバイダ１０１のＰＯＰ１０５に設置されたＩＰｖ６コネクトエージェント１１５を自動的に発見することを許可する。ＩＰｖ６コネクトエージェント１１５の自動的発見を許可する実現方法は当業者であれば理解できる。いくつかの実施形態において、上記発見されたＩＰｖ６コネクトエージェント１０５は、以下にさらに詳細に説明されるように、顧客のＩＰｖ６対応ノード１０７に物理的に最も近いＩＰｖ６コネクトエージェント１１５を備える。
【００１１】
インターネットサービスプロバイダ１０１は、顧客のＩＰｖ４ネットワーク１０３を通して、顧客のＩＰｖ６対応ノード１０７と上記発見されたＩＰｖ６コネクトエージェント１０５との間のＩＰｖ６通信１１１を可能にするように処理を進める。ＩＰｖ４ネットワーク１０３を通したＩＰｖ６通信１１１を提供するための方法は、関連分野における当業者に知られており、例えばトンネリング(tunneling)がある。インターネットサービスプロバイダ１０１はまた、上記発見されたＩＰｖ６コネクトエージェント１０５と、顧客のＩＰｖ４ネットワーク１０３の外部に設置されたＩＰｖ６エンティティ１１３との間のＩＰｖ６通信１１１を可能にし、これにより、顧客のＩＰｖ６対応ノード１０７と、顧客のＩＰｖ４ネットワーク１０３の外部に設置されたＩＰｖ６エンティティ１１３との間のＩＰｖ６通信１１１を提供する。一般には、顧客のＩＰｖ４ネットワークを通したＩＰｖ６通信を可能にすることは、図１Ａに示されるように、インターネットサービスプロバイダ１０１のＰＯＰ１０１内に設置され、上記発見されたＩＰｖ６コネクトエージェント１１５により行われる。
【００１２】
いくつかの実施形態において、上記発見されたＩＰｖ６コネクトエージェント１０５と、顧客のＩＰｖ４ネットワーク１０３の外部に設置されたＩＰｖ６エンティティ１１３との間のＩＰｖ６通信１１１を可能にするインターネットサービスプロバイダ１０１は、図１Ａに示されるように、インターネット１１７を通してＩＰｖ６通信１１１を可能するインターネットサービスプロバイダ１０１を含む。インターネット１１７を通してＩＰｖ６通信１１１を可能にする実現方法は関連分野における当業者であれば理解できる。
【００１３】
図１Ｂは、顧客がそのＩＰｖ４／ＩＰｖ６混成ネットワーク１１９をアップグレードする必要なく顧客へのＩＰｖ６接続を提供する本発明の一実施形態によるインターネットサービスプロバイダ１０１の上位レベルの概要を示す。顧客のＩＰｖ４／ＩＰｖ６混成ネットワーク１１９はＩＰｖ４のみのセクション１２１を備え、セクション１２１は、少なくとも一つのＩＰｖ６対応ノード１０７を備える。ＩＰｖ４のみのセクション１２１はまた、ＩＰｖ４ノード１０９を備える。顧客のＩＰｖ４／ＩＰｖ６ネットワーク１１９はまた、ＩＰｖ６セクション１２３を備え、ＩＰｖ６セクション１２３は少なくとも一つのＩＰｖ６対応ノード１０７を備える。
【００１４】
インターネットサービスプロバイダ１０１は、少なくとも一つのＩＰｖ６コネクトエージェント１１５および少なくとも一つの本来のＩＰｖ６接続モジュール１２５を備える少なくとも一つのＰＯＰ１０５を顧客に利用可能にする。インターネットサービスプロバイダ１０１は、顧客の混成ネットワーク１１９のＩＰｖ４のみのセクション１２１内に設置された顧客のＩＰｖ６対応ノード１０７が、インターネットサービスプロバイダ１０１のＰＯＰ１０５に設置されたＩＰｖ６コネクトエージェント１１５を自動的に発見することを許可する。インターネットサービスプロバイダ１０１は、顧客の混成ネットワーク１１９を通して、顧客のＩＰｖ６対応ノード１０７と、上記発見されたＩＰｖ６コネクトエージェント１０５との間のＩＰｖ６通信１１１を可能にするように処理を進める。混成ネットワークを通したＩＰｖ６通信１１１を提供するための方法は、関連分野における当業者であれば理解でき、例えばトンネリング(tunneling)がある。インターネットサービスプロバイダ１０１はまた、上記発見されたＩＰｖ６コネクトエージェント１０５と、顧客の混成ネットワーク１１９の外部に設置されたＩＰｖ６エンティティ１１３との間のＩＰｖ６通信１１１を可能にし、これにより、顧客のＩＰｖ６対応ノード１０７と、顧客の混成ネットワーク１１９の外部に設置されたＩＰｖ６エンティティ１１３との間のＩＰｖ６通信１１１を提供する。一般には、顧客の混成ネットワーク１１９を通したＩＰｖ６通信を可能にすることは、図１Ｂに示されるように、インターネットサービスプロバイダ１０１のＰＯＰ１０５内に設置され、上記発見されたＩＰｖ６コネクトエージェント１１５により行われる。
【００１５】
インターネットサービスプロバイダ１０１はまた、顧客の混成ネットワーク１１９のＩＰｖ６セクション１２３内に設置された顧客のＩＰｖ６対応ノード１０７が、インターネットサービスプロバイダ１０１のＰＯＰ１０５に設置されたＩＰｖ６コネクトエージェント１１５を自動的に発見することを許可する。いくつかの実施形態において、顧客のＩＰｖ６対応ノード１０７が顧客の混成ネットワーク１１９のＩＰｖ６セクション１２３内に設置される場合でも、顧客のＩＰｖ６対応ノード１０７は、コンフィグレーション情報（例えば、ドメインネームシステム情報）を得るためにＩＰｖ６コネクトエージェント１１５を依然として頼る。インターネットサービスプロバイダ１０１は、顧客の混成ネットワーク１１９を通して、顧客のＩＰｖ６対応ノード１０７と、上記発見されたＩＰｖ６コネクトエージェント１０５との間のＩＰｖ６通信１１１を可能とするように処理を進める。従って、顧客のＩＰｖ６対応ノード１０７が顧客の混成ネットワーク１１９のＩＰｖ６セクション１２３内に設置されている場合でも、顧客のＩＰｖ６対応ノード１０７は、インターネットサービスプロバイダ１０１から暫定のＩＰｖ６サービスを依然として得ることができる。
【００１６】
図１Ｂに示されるように、いくつかの実施形態において、顧客の混成ネットワーク１１９のＩＰｖ６セクション１２３内に設置されたＩＰｖ６対応ノード１０７は、また、インターネットサービスプロバイダ１０１によって提供される本来のＩＰｖ６接続モジュール１２５に接続することができ、それは、関連分野の当業者には明らかであろう方法で、ＩＰｖ４／ＩＰｖ６混成ネットワーク１１９を通してＩＰｖ６対応ノード１０７と外部のＩＰｖ６エンティティ１１３との間の本来のＩＰｖ６通信を可能にする。
【００１７】
いくつかの実施形態において、上記発見されたＩＰｖ６コネクトエージェント１０５または本来のＩＰｖ６接続モジュール１２５と、顧客のＩＰｖ４ネットワーク１０３の外部に設置されたＩＰｖ６エンティティ１１３との間のＩＰｖ６通信１１１を可能にするインターネットサービスプロバイダ１０１は、図１Ｂに示されるように、インターネット１１７を通したＩＰｖ６通信１１１を可能にするインターネットサービスプロバイダ１０１を含む。インターネット１１７を通したＩＰｖ６通信１１１を可能にする実現方法は、関連分野における当業者であれば理解できる。
【００１８】
本明細書で述べられる本発明の種々の実施形態は、要望に応じて、顧客のＩＰｖ４ネットワーク１０３とともに、または顧客のＩＰｖ４／ＩＰｖ６混成ネットワーク１１９とともに実施され得ることが理解される。これからは、“ＩＰｖ４コンポーネントを備えるネットワーク”なる用語は、ＩＰｖ４ネットワーク１０３、またはＩＰｖ４／ＩＰｖ６混成ネットワーク１１９の何れかを意味するために用いられるであろう。“ＩＰｖ４コンポーネントを備えるネットワーク”なる用語が現れるところは、要望に応じて、ＩＰｖ４ネットワーク１０３が使用されるいくつかの実施形態であり、他はＩＰｖ４／ＩＰｖ６混成ネットワーク１１９が使用される実施形態である。
【００１９】
図２は、顧客がＩＰｖ４コンポーネントを備えるそのネットワークをアップグレードする必要なく顧客へのＩＰｖ６接続をインターネットサービスプロバイダ１０１が提供するための本発明の一実施形態によるステップを示す。インターネットサービスプロバイダ１０１は、少なくとも一つのＩＰｖ６コネクトエージェント１１５を備える少なくとも一つのＰＯＰ１０５を顧客に利用可能にする（ステップ２０１）。インターネットサービスプロバイダは、ＩＰｖ４コンポーネントを備える顧客のネットワーク内に設置された顧客のＩＰｖ６対応ノード１０７が、インターネットサービスプロバイダ１０１のＰＯＰ１０５に設置されたＩＰｖ６コネクトエージェント１１５を自動的に発見することを許可する（ステップ２０３）。
【００２０】
インターネットサービスプロバイダ１０１は、ＩＰｖ４コンポーネントを備える顧客のネットワークを通して、顧客のＩＰｖ６対応ノード１０７と上記発見されたＩＰｖ６コネクトエージェント１１５との間のＩＰｖ６通信１１１を可能にするように処理を進める（ステップ２０５）。インターネットサービスプロバイダはまた、上記発見されたＩＰｖ６コネクトエージェント１１５と、ＩＰｖ４コンポーネントを備える顧客のネットワークの外部に設置されたＩＰｖ６エンティティ１１３との間のＩＰｖ６通信１１１を可能にするように処理を進め（ステップ２０７）、これにより、顧客のＩＰｖ６対応ノード１０７と、ＩＰｖ４コンポーネントを備える顧客のネットワークの外部に設置されたＩＰｖ６エンティティ１１３との間のＩＰｖ６通信１１１を提供する。
【００２１】
図３は、それぞれが少なくとも一つのＩＰｖ６コネクトエージェント１１５を備える複数のＰＯＰ１０５を提供する本発明の一実施形態によるインターネットサービスプロバイダ１０１を示す。図３に示されたもののような実施形態において、種々のＰＯＰ１０５は、要望に応じて、世界のどこに設置されていてもよいことが理解される。一般には、ＰＯＰ１０５は、図３に示されるように、インターネットサービスプロバイダ１０１によって維持されるワイドエリアネットワーク（ＩＳＰバックボーンネットワーク）３０１内に存在する。このような実施形態においては、インターネットサービスプロバイダ１０１は、一般には、顧客のＩＰｖ６対応ノード１０７が、顧客に物理的に最も近いＰＯＰ１０５に存在するＩＰｖ６コネクトエージェント１１５を発見することを許可する。もちろん、いくつかの実施形態において、顧客は、たとえば最も近いＩＰｖ６コネクトエージェント１１５が利用できないときに、要望に応じて他のＩＰｖ６コネクトエージェント１１５をアクセスすることができる。
【００２２】
図４は、顧客がＩＰｖ４を備えるそのネットワークをアップグレードする必要なく、顧客へのＩＰｖ６接続を、複数のＰＯＰ１０５を備えるインターネットサービスプロバイダ１０１が提供するための本発明の一実施形態によるステップを示す。インターネットサービスプロバイダは、それぞれが少なくとも一つのＩＰｖ６コネクトエージェント１１５を備える複数のＰＯＰ１０５を顧客に利用可能にする（ステップ４０１）。インターネットサービスプロバイダ１０１は、顧客のＩＰｖ６対応ノード１０７が、顧客のＩＰｖ６対応ノード１０７に物理的に最も近いＩＰｖ６コネクトエージェント１１５を自動的に発見することを許可する（ステップ４０３）。
【００２３】
インターネットサービスプロバイダ１０１は、ＩＰｖ４コンポーネントを備える顧客ネットワークを通して、顧客のＩＰｖ６対応ノード１０７と、上記発見されたＩＰｖ６コネクトエージェント１１５との間のＩＰｖ６通信１１１を可能にするように処理を進める（ステップ２０５）。インターネットサービスプロバイダは、また、上記発見されたＩＰｖ６コネクトエージェント１１５と、ＩＰｖ４コンポーネントを備える顧客のネットワークの外部に設置されたＩＰｖ６エンティティ１１３との間のＩＰｖ６通信１１１を可能にし（ステップ２０７）、これにより、顧客のＩＰｖ６対応ノード１０７と、ＩＰｖ４コンポーネントを備える顧客のネットワークの外部に設置されたＩＰｖ６エンティティ１１３との間のＩＰｖ６通信１１１を提供する。
【００２４】
図５は、本発明の他の実施形態を示し、この実施形態では、インターネットサービスプロバイダ１０１のＰＯＰ１０５は、また、ＩＰｖ４通信モジュール５０１を備える。インターネットサービスプロバイダ１０１は、顧客のＩＰｖ６対応ノード１０７と、上述したような外部のＩＰｖ６エンティティ１１３との間のＩＰｖ６通信１１１を可能にする。加えて、インターネットサービスプロバイダ１０１は、ＩＰｖ４コンポーネントを備える顧客のネットワーク内のＩＰｖ４ノード１０９と、顧客のＩＰｖ４ネットワークの外部に設置されたＩＰｖ４エンティティ５０３との間のＩＰｖ４通信を可能にする。
【００２５】
インターネットサービスプロバイダ１０１は、少なくとも一つのＩＰｖ４通信モジュール５０１を備える少なくとも一つのＰＯＰ１０５を顧客に利用可能にする。インターネットサービスプロバイダ１０１は、ＩＰｖ４コンポーネントを備える顧客のネットワーク内に設置された顧客のＩＰｖ４ノード１０９が、関連分野における当業者には明らかであろう方法で、ＩＰｖ４通信モジュール５０１を自動的に発見することを許可する。
【００２６】
インターネットサービスプロバイダ１０１は、それから、ＩＰｖ４コンポーネントを備える顧客のネットワークを通して、顧客のＩＰｖ４ノード１０９と、上記発見されたＩＰｖ４通信モジュール５０１との間のＩＰｖ４通信を可能にする。インターネットサービスプロバイダ１０１は、また、上記発見されたＩＰｖ４通信モジュール５０１と、ＩＰｖ４コンポーネントを備える顧客のネットワークの外部に設置されたＩＰｖ４エンティティ５０３との間のＩＰｖ４通信を可能にし、これにより、顧客のＩＰｖ４ノード１０９と、顧客のＩＰｖ４ネットワークの外部に設置されたＩＰｖ４エンティティ５０３との間のＩＰｖ４通信を提供する。顧客のＩＰｖ４ノード１０９と、ＩＰｖ４コンポーネントを備える顧客のネットワークの外部に設置されたＩＰｖ４エンティティ５０３との間のＩＰｖ４通信を提供するインターネットサービスプロバイダ１０１の実現方法は、関連分野における当業者には明らかであろう。
【００２７】
図６は、インターネットサービスプロバイダ１０１が顧客のモバイルＩＰｖ６対応ノード６０１に対するモバイルＩＰｖ６通信１１１を可能にする本発明の実施形態を示す。一般に、モバイルＩＰｖ６対応ノード６０１は、場所から場所に移動し、そして要望に応じた種々のネットワークに接続することができる。ＩＰｖ６対応モバイルノード６０１は、関連分野における当業者に知られている方法で、モバイルＩＰｖ６、ＩＰｖ６標準のモバイルバージョンにより通信することができる。
【００２８】
いくつかの実施形態において、インターネットサービスプロバイダ１０１は、顧客のＩＰｖ４ネットワーク１０３を通して、顧客のＩＰｖ６対応モバイルノード６０１についてモバイルＩＰｖ６通信１１１を可能にする。いくつかの実施形態において、インターネットサービスプロバイダ１０１は、上述したように、ＩＰｖ６コネクトエージェント１１５を備える一つまたはそれ以上のＰＯＰ１０５を顧客に利用可能にする。インターネットサービスプロバイダ１０１は、顧客のＩＰｖ６モバイルノード６０１が、固定ノードの検討において上述した方法で、ＩＰｖ６コネクトエージェント１１５（例えば、顧客のモバイルノード６０１に物理的に最も近いＩＰｖ６コネクトエージェント１１５）を自動的に発見することを許可する。ＩＰｖ６対応モバイルノード６０１を利用する実施形態においては、上記発見されたＩＰｖ６コネクトエージェント１１５は、仮想的なホームエージェントとして作動し、これにより、インターネットサービスプロバイダ１０１が、恒久的なホームエージェントの使用を必要とすることなくＩＰｖ６モバイル通信を可能にすることをできるようにする。いくつかの実施形態において、上記発見されたＩＰｖ６コネクトエージェント１１５（仮想的なホームエージェントとして作動）は、ＡＡＡのような公知の認証プロトコルを用いて、顧客のＩＰｖ６対応モバイルノード６０１を認証する。
【００２９】
図６に示されるように、インターネットサービスプロバイダ１０１は、上記発見されたＩＰｖ６コネクトエージェント１１５と外部のＩＰｖ６エンティティ１１３との間（例えば、インターネット１１７を通して）と同様に、ＩＰｖ４ネットワーク１０３を通して、顧客のＩＰｖ６対応モバイルモジュール６０１と、発見されたＩＰｖ６コネクトエージェント１１５との間のモバイルＩＰｖ６通信を可能にすることができる。ＩＰｖ６対応モバイルノード６０１は場所から場所に移動でき、そして要望に応じた種々のネットワークを通してインターネットサービスプロバイダに接続できることが理解される。図６が示すように、いくつかの実施形態において、ＩＰｖ６対応モバイルノード６０１は、ＩＰｖ４／ＩＰｖ６混成ネットワーク１１９を通してインターネットサービスプロバイダに接続できる。ＩＰｖ６対応モバイルノード６０１がこのようなネットワークを通して接続する場合、インターネットサービスプロバイダ１０１は、モバイルノード６０１が、上述したように、ＩＰｖ６コネクトエージェント１１５を発見することを許可する。加えて、ＩＰｖ４／ＩＰｖ６混成ネットワーク１１９が本来のＩＰｖ６ファンクショナリティを備えるので、ＩＰｖ６対応モバイルノード６０１は、また、インターネットサービスプロバイダ１０１によって提供される本来のＩＰｖ６接続モジュール１２５に接続することができ、それは、関連分野における当業者には明らかであろう方法で、ＩＰｖ４／ＩＰｖ６混成ネットワーク１１９を通して、ＩＰｖ６対応モバイルノード６０１と外部のＩＰｖ６エンティティ１１３との間の本来のモバイルＩＰｖ６通信を可能にする。図６に示されるように、ＩＰｖ６対応モバイルノード６０１は、また、ＩＰｖ６ネットワーク６０７を通してインターネットサービスプロバイダ１０１によって提供される本来のＩＰｖ６接続モジュール１２５に接続することもできる。そのシナリオにおいては、本来のＩＰｖ６接続モジュール１２５は、ＩＰｖ６ネットワーク６０７を通して、ＩＰｖ６対応モバイルノード６０１と外部のＩＰｖ６エンティティ１１３との間の本来のモバイルＩＰｖ６通信を可能にする。
【００３０】
ＩＰｖ４コンポーネントを備える顧客のネットワークを通してＩＰｖ６通信を可能にするインターネットサービスプロバイダ１０１は、課金モデルについての新たな機会を創り出し、それは本発明のいくつかの実施形態において利用される。図７は、本発明の一実施形態による課金モデルの一つを実施するためのステップを示す。インターネットサービスプロバイダ１０１が、ＩＰｖ４コンポーネントを備える顧客のネットワークを通してＩＰｖ６通信１１１を可能にするので、インターネットサービスプロバイダ１０１は、ＩＰｖ４コンポーネントを備える顧客のネットワークを通して伝送されたＩＰｖ６パケットのトラックを保持する（ステップ７０１）。インターネットサービスプロバイダ１０１は、それから、伝送されたＩＰｖ６パケットについて顧客の特別料金を変更する（ステップ７０３）。インターネットサービスプロバイダ１０１が、ＩＰｖ４コンポーネントを備えるネットワークを通してＩＰｖ６パケットを伝送することは特別なサービスであるので、インターネットサービスプロバイダ１０１にとっては、このサービスに対してはより高い料金で課金することが望ましい。関連分野における当業者であれば、図７に示される実施形態は、要望に応じて、顧客のＩＰｖ６対応ノードが固定１０７またはモバイル６０１であるところで実施できることが明らかであろう。モバイルノード６０１を利用するいくつかの実施形態において、インターネットサービスプロバイダ１０１は、ＩＰｖ４／ＩＰｖ６混成ネットワーク１１９及び／又はＩＰｖ６ネットワーク６０７を通して伝送されたＩＰｖ６パケットのトラックを保持し、そして要望に応じて個別の料金（高額又は低額）を課金する。
【００３１】
図８は、本発明の他の実施形態による他の課金モデルを実施するためのステップを示す。インターネットサービスプロバイダ１０１は、ＩＰｖ６通信１１１を可能にするという文脈の中で、インターネットプロトコルバージョン６のアドレスを少なくとも一つの顧客のＩＰｖ６対応ノード１０７に割り当てる（ステップ８０１）。これは特別なサービスであるから、インターネットサービスプロバイダ１０１は、それぞれ割り当てられたＩＰｖ６アドレスに対して特別料金を顧客に課金する（ステップ８０３）。
【００３２】
本技術分野に精通した者であれば理解できるように、本発明は、その精神または本質的な特徴から始めることなく他の特定の形式で具現してもよい。同様に、モジュールのネーミングおよび区分(division)、特徴(feature)、属性(attribute)、手順(methodologies)、ノード、ＰＯＰ(points of presence)、および他の側面は必須でも重要でもなく、且つ本発明またはその特徴を実施するメカニズムは、異なるネーム、区分及び／又はフォーマットを備えてもよい。さらにまた、関連分野における当業者には明らかであるように、本発明のモジュール、特徴、属性、手順、ノード、ＰＯＰおよび他の側面は、ソフトウェア、ハードウェア、ファームウェア、またはこれら３つの任意の組み合わせとして実施できる。もちろん、本発明の構成要素がどのようなところでソフトウェアとして実施されようとも、その構成要素は、スタンドアローンプログラムとして、大規模なプログラムの一部として、複数の別々のプログラムとして、静的または動的にリンクされたライブラリとして、カーネルロード可能なモジュールとして、装置ドライバとして、及び／又はコンピュータプログラミングの分野における当業者に現在または将来において知られるあらゆる又は任意の方法で実施できる。加えて、本発明は、任意の特定のプログラミング言語での実施に決して限られず、または任意の特定のオペレーティングシステム若しくは環境に限られない。さらにまた、本発明は、ＩＰｖ４コンポーネントを備えるネットワーク上でのＩＰｖ６通信１１１を可能にするインターネットサービスプロバイダ１０１に限定されない。ほかに採り得る実施形態においては、インターネットサービスプロバイダ１０１は、他の旧世代のプロトコルネットワーク上で新世代の通信プロトコルを代わりに実施することができる。従って、本発明の開示は例示であって、本発明の範囲(scope)を制限するものではなく、本発明は特許請求の範囲に示される。
【図面の簡単な説明】
【００３３】
【図１Ａ】顧客がそのＩＰｖ４ネットワークをアップグレードする必要なく顧客へのＩＰｖ６ｄ接続を提供する本発明の一実施形態によるインターネットサービスプロバイダの上位レベルの概要を示すブロックダイアグラムである。
【図１Ｂ】顧客がそのＩＰｖ４／ＩＰｖ６混成ネットワークをアップグレードする必要なく顧客へのＩＰｖ６接続を提供する本発明の一実施形態によるインターネットサービスプロバイダの上位レベルの概要を示すブロックダイアグラムである。
【図２】顧客がＩＰｖ４コンポーネントを備えるそのネットワークをアップグレードする必要なくインターネットサービスプロバイダが顧客へのＩＰｖ６接続を提供する本発明の一実施形態によるステップを示すフローチャートである。
【図３】それぞれが少なくとも一つのＩＰｖ６コネクトエージェントを備える複数のＰＯＰを提供する本発明の一実施形態によるインターネットサービスプロバイダを示すブロックダイアグラムである。
【図４】顧客がＩＰｖ４コンポーネントを備えるそのネットワークをアップグレードする必要なく、複数のＰＯＰを備えるインターネットサービスプロバイダが顧客へのＩＰｖ６接続を提供する本発明の一実施形態によるステップを示すフローチャートである。
【図５】本発明の一実施形態によるＩＰｖ４通信モジュールを備えるインターネットサービスプロバイダのＰＯＰを示すブロックダイアグラムである。
【図６】顧客のＩＰｖ６対応モバイルノードについてモバイルＩＰｖ６通信を可能にする本発明のいくつかの実施形態によるインターネットサービスプロバイダを示すブロックダイアグラムである。
【図７】本発明の一実施形態による特別な課金モデルを実施するためのステップを示すフローチャートである。
【図８】本発明の他の実施形態による他の特別な課金モデルを実施するためのステップを示すフローチャートである。
【符号の説明】
【００３４】
１０１  インターネットサービスプロバイダ
１０３  ＩＰｖ４ネットワーク
１０５  ＰＯＰ(points of presence)
１０７  ＩＰｖ６対応ノード
１０９  ＩＰｖ４ノード
１１１  ＩＰｖ６通信
１１３  ＩＰｖ６エンティティ
１１５  ＩＰｖ６コネクトエージェント
１１７  インターネット
１１９  ＩＰｖ４／ＩＰｖ６混成ネットワーク
１２１  ＩＰｖ４のみのセクション
１２３  ＩＰｖ６セクション
１２５  本来のＩＰｖ６接続モジュール
２０１，２０３，２０５，２０７  ステップ
３０１  ワイドエリアネットワーク
４０１，４０３  ステップ
５０１  ＩＰｖ４通信モジュール
５０３  ＩＰｖ４エンティティ
６０１  ＩＰｖ６対応モバイルノード
６０７  ＩＰｖ６ネットワーク
７０１，７０３  ステップ
８０１，８０３  ステップ
【図１Ａ】
2004254321.tif 000003
【図１Ｂ】
2004254321.tif 000004
【図２】
2004254321.tif 000005
【図３】
2004254321.tif 000006
【図４】
2004254321.tif 000007
【図５】
2004254321.tif 000008
【図６】
2004254321.tif 000009
【図７】
2004254321.tif 000010
【図８】
2004254321.tif 000011
【外国語明細書】
2004254321.tif 000012
2004254321.tif 000013
2004254321.tif 000014
2004254321.tif 000015
2004254321.tif 000016
2004254321.tif 000017
2004254321.tif 000018
2004254321.tif 000019
2004254321.tif 000020
2004254321.tif 000021
2004254321.tif 000022
2004254321.tif 000023
2004254321.tif 000024
2004254321.tif 000025
2004254321.tif 000026
2004254321.tif 000027
2004254321.tif 000028
2004254321.tif 000029
2004254321.tif 000030
2004254321.tif 000031
2004254321.tif 000032
2004254321.tif 000033
2004254321.tif 000034
2004254321.tif 000035
2004254321.tif 000036
2004254321.tif 000037
2004254321.tif 000038
2004254321.tif 000039
2004254321.tif 000040
2004254321.tif 000041
2004254321.tif 000042
2004254321.tif 000043
2004254321.tif 000044
2004254321.tif 000045